(57)【要約】  本発明は、原画またはデジタルアートもしくは彫刻の写真の複写が刷り込まれ、かつ広く開発されている絵画キャンバスのためのフレーム市場に適用可能である。これらの絵画は、通常、美術館の店舗や画廊で販売され、美術および装飾に関連して市販されている。発明によれば、絵画の構成は、互いに連結されるとキャンバスフレームを形成する同一の部片から成る。当該部片はフレームの形状を与えるために互いに嵌合され、キャンバスは接続要素によって固定される。発明に係るモジュール式フレームは、主に２種類の部片、すなわち溝状および舌状接続要素（１ａ，１ｂ）と延長要素（２）とを含む。本発明の目的は、組立てやすく、等しく簡略化された方法で嵌合するように特に作成されたキャンバスを受入れるフレームを提供することである。
2010527648.tif 000002
【特許請求の範囲】
【請求項１】
原画または写真の複写を展示するための絵画用モジュール式フレームであって、２種類の構成要素、すなわち接続要素（１ａ，１ｂ）および延長要素（２）を備え、
接続要素（１ａ，１ｂ）は、フレームの偶角を形成するか、またはフレームの側方要素を構成する延長要素（２）同士の接続を支持し、接続要素（１ａ，１ｂ）は、溝状接続要素（１ａ）を舌状接続要素（１ｂ）に嵌合させることによって連結され、
フレームの側面要素は少なくとも延長要素（２）を含み、延長要素（２）は、フレームの所望の形状を得るために各端部に接続要素（１ａ，１ｂ）を有し、
キャンバスを延長要素（２）に固定するために移動可能な接続手段が設けられる、モジュール式フレーム。
【請求項２】
キャンバスを延長要素（２）に接合する接続要素は、２つのベルクロ（登録商標）面を固定することで構成され、一方はキャンバスの端面に、他方は延長要素（２）上に配置されることを特徴とする、請求項１に記載のモジュール式フレーム。
【請求項３】
キャンバスを延長要素（２）に接合する接続要素は、キャンバスの端部に配置されたはと目に嵌合する、延長要素（２）に設けられた小さいピンで構成されることを特徴とする、請求項１に記載のモジュール式フレーム。
【請求項４】
キャンバスを延長要素（２）に接合する接続要素は、キャンバスの端面に配置された磁石と、延長要素（２）上に配置された金属面とで構成されることを特徴とする、請求項１に記載のモジュール式フレーム。
【請求項５】
キャンバスを延長要素（２）に接合する接続要素は、フレームの内面に配置されることを特徴とする、請求項２、３および４のいずれか１項に記載のモジュール式フレーム。
【請求項６】
延長要素（２）は正方形の輪郭を有し、接続要素（１ａ，１ｂ）は、延長要素（２）との密な嵌合が生じるようにより小さい正方形の輪郭を呈する部分と、舌状および溝状要素を含む部分とを有することを特徴とする、請求項１に記載のモジュール式フレーム。
【請求項７】
舌状要素および溝状要素を含む接続要素（１ａ，１ｂ）の一部は、延長要素（２）に嵌合されると、前記接続要素（１ａ，１ｂ）をフレームの側方要素の偶角または延長部として使用することを可能にするために、延長要素（２）の内面に対して±４５°の角度の嵌合面を有することを特徴とする、請求項６に記載のモジュール式フレーム。
【請求項８】
接続要素（１ａ，１ｂ）は、溝状要素（１ａ）と舌状要素（１ｂ）とで構成され、つまみは円形形状を有することを特徴とする、請求項１に記載のモジュール式フレーム。
【発明の詳細な説明】
【技術分野】
【０００１】
発明の分野
本発明は、原画の模写、またはデジタルアートもしくは彫刻からの写真が刷り込まれ、かつ広く開発されている絵画キャンバスのためのフレーム市場に適用可能である。これらの絵画は、通常、美術館の店舗や画廊で販売され、美術および装飾に関連して市販されている。
【０００２】
本発明は、この種の製品と購入者との関係に変革をもたらす絵画フレームモデルを展開する。この取外し可能な絵画は、取外し可能なフレームをキャンバスから初めて分離するものであり、キャンバスは丸められた状態で供給される。
【背景技術】
【０００３】
発明の背景
複写を購入する際、その寸法に起因して、枠組および各キャンバスの運搬の問題が常時存在する。主にキャンバスを購入する際には、その運搬および枠組の問題が常に存在することになる。
【０００４】
仏国特許出願公開第２７３４４６３号（ＦＲ２７３４４６３）、米国特許第５，５１５，６３０号および米国特許第４，９２２，６３８号は、継手およびネジによって所望の寸法を有するフレームをもたらす側方要素と端縁要素とを含むモジュール式フレームを提示している。しかし、これらのフレームは、適合性が劣ったアセンブリを構成し、セットアップするのが困難であり、再利用できるかが不明であるという支障を引起す。
【発明の概要】
【発明が解決しようとする課題】
【０００５】
本発明は、キャンバスと、組立て後にフレームを構成する構成要素のセットとを、１つのアセンブリで提示する再利用可能なモジュール式フレームを提供することによって、上記の課題を解決することを意図する。この解決法によって、購入者側での一群の運搬および組立てが容易となる。
【課題を解決するための手段】
【０００６】
発明の概要
発明によれば、絵画の構成は、互いに連結されるとキャンバスフレームを形成するいくつかの同一の部片から成る。
【０００７】
当該部片は互いに嵌合されてフレームに形状を与え、キャンバスは接続要素によって取付けられる。
【０００８】
本発明の目的は、組立てやすく、等しく簡略化された方法で嵌合されるように特に作成されたキャンバスを受入れるフレームを提供することである。
【図面の簡単な説明】
【０００９】
図面の説明
【図１】好ましい実施例における接続要素（１ａ，１ｂ）の斜視図である。
【図２】好ましい実施例における接続要素（１ａ，１ｂ）および延長要素（２）の組立てプロセスの斜視図である。
【図３】接続要素（１ａ，１ｂ）を延長部片（２）に組立てるいくつかの様式の斜視図である。
【発明を実施するための形態】
【００１０】
発明の説明
本発明に係るモジュール式フレームは、２種類の構成要素、すなわち接続要素（１ａ，１ｂ）および延長要素（２）のみを含む。
【００１１】
接続要素（１ａ，１ｂ）は、フレームの偶角を構成するかまたはフレームの側方要素を構成する延長部片（２）同士の接続を支持するように意図される。これらの接続部片（１ａ，１ｂ）は、溝状接続要素（１ａ）を舌状接続要素（１ｂ）に嵌合させることによって連結される。
【００１２】
延長要素（２）は、フレームの側方要素を構成するように設けられる。延長要素は、各端部に接続要素（１ａ，１ｂ）を有する。
【００１３】
延長要素（２）は、接続部片（１ａ，１ｂ）とともに、キャンバスに対応する所望の寸法をもたらすのに十分なある長さまたはその倍数を呈する。
【００１４】
フレームの全体的な組立てに続いて、特に本発明に合せたキャンバスが、いくつかの手段、好ましくはベルクロ（登録商標）、はと目および接合ピンまたは磁石によって取付けられ得る。簡単かつ動作が迅速なことに加え、本アセンブリによって、キャンバスを簡単に別のフレームに変えることが可能となる。
【００１５】
ベルクロ（登録商標）固定は、ベルクロ（登録商標）の両面を固定することが必要となり、一方はキャンバスの端面に、他方は延長要素（２）上に配置される。
【００１６】
はと目固定は、延長要素（２）に設けられた小さいピンと、キャンバスの端面において接合ピンを有する小さい開口部とで構成される。
【００１７】
磁石固定は、キャンバスの端面に配置された磁石と、延長要素（２）上の金属を基にした表面とで構成される。
【００１８】
固定要素が見えない状態に維持するためには、展示されたときに絵画が壁に完全に寄掛り得るように、ベルクロ（登録商標）、はと目および磁石固定手段をフレームの内面上に配置することが適切である。
発明の好ましい実施例
好ましい実施例において、延長要素（２）は正方形の輪郭を有し得、接続要素（１ａ，１ｂ）は、延長要素（２）との密な嵌合が生じるようにより小さい正方形の輪郭を呈する部分と、舌状および溝状要素を含む部分とを有する。
【００１９】
図１に示すように、接続要素（１ａ，１ｂ）は、溝状接続要素（１ａ）と舌状接続要素（１ｂ）とで作成することができ、つまみは円形形状を有する。
【００２０】
延長要素（２）に嵌合されると、接続要素（１ａ，１ｂ）は、延長部片（２）の内面に対して±４５°の傾斜角の固締面を有する。これにより、接続要素（１ａ，１ｂ）をフレームの側方要素の偶角または延長部として使用することができる。
【００２１】
図２は、フレームの部分的なアセンブリを示し、側方要素の一つは、それぞれの接続要素（１ａ，１ｂ）によって連結される２つの延長要素（２）から成る。
【００２２】
図３は、接続要素（１ａ，１ｂ）を延長部片（２）に嵌合させるためのいくつかの方法を示す。
【００２３】
先に述べた本絵画用モジュール式フレームの実施例は、実行可能な実現例であり、発明の原理の明確な理解をもたらすに過ぎないことを考慮しなければならない。発明の範囲から実質的に逸脱することなく、好ましい実施例に対して変更および修正を行うことができる。すべての変更および修正は本発明の範囲内に含まれ、添付の請求項によって保護されるべきである。
【図１】
2010527648.tif 000003
【図２】
2010527648.tif 000004
【図３】
2010527648.tif 000005
【手続補正書】
【提出日】平成21年1月12日(2009.1.12)
【手続補正１】
【補正対象書類名】特許請求の範囲
【補正対象項目名】全文
【補正方法】変更
【補正の内容】
【特許請求の範囲】
【請求項１】
キャンバスに印刷されたデジタル画像の複製品を展示するための装着可能かつ脱着可能な絵のモジュール式構造材であって、２つの部分、すなわちモジュール式構造材フレーム（１，２，３）と取付け可能なキャンバスとを備え、
モジュール式構造材フレームは、２種類の構成要素、すなわち２種の可変継手（１ａ，１ｂ）を有する接続要素および延長要素（２）を含み、
延長要素（２）は、使用される延長要素（２）の数にしたがって、構造材フレームについて異なる寸法をもたらし、
延長要素（２）には、キャンバス（２）を固定するために移動可能な接続手段が設けられ、
２種の可変継手を有する接続要素（１ａ，１ｂ）は、選択された継手部品にしたがって、構造材を広げるかまたはフレームの偶角を形成するように延長要素（２）を１８０°または９０°の角度で接続し、
接続要素（１ａ，１ｂ）は、溝状接続要素（１ａ）を舌状接続要素（１ｂ）に嵌合させることによって連結され、
キャンバスは、移動可能な接続手段によってモジュール式構造材フレーム上に配置される、モジュール式構造材。
【請求項２】
キャンバスを延長要素（２）に接合する接続要素は、２つのベルクロ（登録商標）面を固定することで構成され、一方はキャンバスの端面に、他方は延長要素（２）上に配置されることを特徴とする、請求項１に記載のモジュール式構造材。
【請求項３】
キャンバスを延長要素（２）に接合する接続要素は、キャンバスの端部に配置されたはと目に嵌合する、延長要素（２）に設けられた小さいピンで構成されることを特徴とする、請求項１に記載のモジュール式構造材。
【請求項４】
キャンバスを延長要素（２）に接合する接続要素は、キャンバスの端面に配置された磁石と、延長要素（２）上に配置された金属面とで構成されることを特徴とする、請求項１に記載のモジュール式構造材。
【請求項５】
キャンバスを延長要素（２）に接合する接続要素は、フレームの内面に配置されることを特徴とする、請求項２、３および４のいずれか１項に記載のモジュール式構造材。
【請求項６】
延長要素（２）は正方形の輪郭を有し、接続要素（１ａ，１ｂ）は、２種類の接続（延長部または偶角）をもたらすように延長要素から分離され、脱着可能であっても延長要素（２）との密な嵌合が生じるようにより小さい正方形の輪郭を呈する部分と、舌状および溝状要素を含む部分とを有することを特徴とする、請求項１に記載のモジュール式構造材。
【請求項７】
舌状要素および溝状要素を含む接続要素（１ａ，１ｂ）の一部は、延長要素（２）に嵌合されると、選択された延長要素に対する継手部品にしたがって前記接続要素（１ａ，１ｂ）をフレームの側方要素の偶角または延長部として使用することを可能にするために、延長要素（２）の内面に対して±４５°の角度の嵌合面を有することを特徴とする、請求項６に記載のモジュール式構造材。
【請求項８】
接続要素（１ａ，１ｂ）は、溝状要素（１ａ）と舌状要素（１ｂ）とで構成され、つまみは円形形状を有することを特徴とする、請求項１に記載のモジュール式構造材。
【国際調査報告】
2010527648.tif 000006
2010527648.tif 000007
2010527648.tif 000008